(57)【要約】【課題】ＢＣＡ信号とＲＦ信号とを、ハードウェア規模を低減しても再生することができる情報再生装置を提供する。【解決手段】本発明に係る情報再生装置は、第１の領域に記録されたＢＣＡ情報と、第１の領域より外周側に位置する第２の領域に記録されたＲＦ情報とを有する情報記憶媒体を再生可能な情報再生装置において、第１及び第２の領域にレーザ光を照射して、その反射光を検出する光ピックアップと、反射光に基づいてＲＦ信号とＢＣＡ信号とを再生する再生系統部と、ＲＦ信号の再生時には、フォーカス位置を光ディスクの信号層に合わせるようにフォーカス制御を行い、ＢＣＡ信号の再生時には、フォーカス位置を信号層からずらしてデフォーカスさせるデフォーカス制御を行うことでＢＣＡ信号の高域成分を等価的に抑圧するフォーカス制御部と、を備えたことを特徴とする。【選択図】  図１
2007035199.tif 000002
【特許請求の範囲】
【請求項１】
第１の領域に記録されたＢＣＡ情報と、前記第１の領域より外周側に位置する第２の領域に記録されたＲＦ情報とを有する情報記憶媒体を再生可能な情報再生装置において、
前記情報記憶媒体の前記第１及び第２の領域にレーザ光を照射して、その反射光を検出する光ピックアップと、
この光ピックアップによって検出された前記反射光に基づいてＲＦ信号とＢＣＡ信号とを再生する再生系統部と、
前記ＲＦ信号を再生するときには、前記光ピックアップのフォーカス位置を前記光ディスクの信号層に合わせるようにフォーカス制御を行い、前記ＢＣＡ信号を再生するときには、前記光ピックアップのフォーカス位置を前記信号層からずらしてデフォーカスさせるデフォーカス制御を行うことで前記ＢＣＡ信号の高域成分を等価的に抑圧するフォーカス制御部と、
を備えたことを特徴とする情報再生装置。
【請求項２】
前記再生系統部は、
前記ＲＦ信号と前記ＢＣＡ信号とを、前記光ピックアップからデジタル変換部まで同一経路で再生処理することを特徴とする請求項１に記載の情報再生装置。
【請求項３】
前記フォーカス制御部は、前記フォーカス位置が前記信号層を突き抜ける方向にずらしてデフォーカスさせることを特徴とする請求項１に記載の情報再生装置。
【請求項４】
前記ＢＣＡ信号を再生するときには、前記光ディスクの回転速度を、前記ＲＦ信号を再生するときときよりも高く設定する回転制御部をさらに備えたことを特徴とする請求項１に記載の情報再生装置。
【請求項５】
前記ＢＣＡ信号のシンボルエラー率を測定するエラー測定部をさらに備え、
前記回転制御部は、前記シンボルエラー率が所定の閾値よりも高くなったときに前記回転速度を高く設定する、ことを特徴とする請求項４に記載の情報再生装置。
【請求項６】
前記ＢＣＡ信号のシンボルエラー率を測定するエラー測定部をさらに備え、
前記フォーカス制御部は、シンボルエラー率が所定の閾値よりも高くなったときに前記デフォーカスさせるデフォーカス制御を行う、ことを特徴とする請求項４に記載の情報再生装置。
【請求項７】
前記フォーカス制御部は、前記デフォーカスさせるフォーカス位置を変更可能とすることで、前記ＢＣＡ信号の高域成分を等価的に抑圧するカットオフ周波数を変更することができることを特徴とする請求項１に記載の情報再生装置。
【請求項８】
第１の領域に記録されたＢＣＡ情報と、前記第１の領域より外周側に位置する第２の領域に記録されたＲＦ情報とを有する情報記憶媒体を再生可能な情報再生方法において、
前記情報記憶媒体の前記第１及び第２の領域にレーザ光を照射して、その反射光を光ピックアップで検出するステップと、
この光ピックアップによって検出された前記反射光に基づいてＲＦ信号とＢＣＡ信号とを再生するする再生ステップと、
前記ＲＦ信号を再生するときには、前記光ピックアップのフォーカス位置を前記光ディスクの信号層に合わせるようにフォーカス制御を行い、前記ＢＣＡ信号を再生するときには、前記光ピックアップのフォーカス位置を前記信号層からずらしてデフォーカスさせるデフォーカス制御を行うことで前記ＢＣＡ信号の高域成分を等価的に抑圧するフォーカス制御ステップと、
を備えたことを特徴とする情報再生方法。
【請求項９】
前記再生ステップは、
前記ＲＦ信号と前記ＢＣＡ信号とを、前記光ピックアップからデジタル変換部まで同一経路で再生処理することを特徴とする請求項８に記載の情報再生方法。
【請求項１０】
前記フォーカス制御ステップは、前記フォーカス位置が前記信号層を突き抜ける方向にずらしてデフォーカスさせることを特徴とする請求項８に記載の情報再生方法。
【請求項１１】
前記ＢＣＡ信号を再生するときには、前記光ディスクの回転速度を、前記ＲＦ信号を再生するときときよりも高く設定する回転制御ステップをさらに備えたことを特徴とする請求項８に記載の情報再生方法。
【請求項１２】
前記ＢＣＡ信号のシンボルエラー率を測定するエラー測定ステップをさらに備え、
前記回転制御ステップは、前記シンボルエラー率が所定の閾値よりも高くなったときに前記回転速度を高く設定する、ことを特徴とする請求項１１に記載の情報再生方法。
【請求項１３】
前記ＢＣＡ信号のシンボルエラー率を測定するエラー測定ステップをさらに備え、
前記フォーカス制御ステップは、シンボルエラー率が所定の閾値よりも高くなったときに前記デフォーカスさせるデフォーカス制御を行う、ことを特徴とする請求項１１に記載の情報再生方法。
【請求項１４】
前記フォーカス制御ステップは、前記デフォーカスさせるフォーカス位置を変更可能とすることで、前記ＢＣＡ信号の高域成分を等価的に抑圧するカットオフ周波数を変更することができることを特徴とする請求項８に記載の情報再生方法。
【発明の詳細な説明】
【技術分野】
【０００１】
本発明は、情報再生装置、および情報再生方法に係り、特に、光ディスク等に記録された情報を再生する情報再生装置、および情報再生方法に関する。
【背景技術】
【０００２】
従来から、光ディスク等の情報記憶媒体では、映像・音声データや各種情報データ等のユーザデータを記録・再生するユーザエリアの他に、ＢＣＡ（Burst  Cutting  Area）と呼ばれる特殊な領域を備えて構成されている。
【０００３】
ＢＣＡは光ディスク等の記録面に、バーコード状にカットされた或いは色素を塗布された領域であり、光ディスク等の内周側の一部に、例えば約数ｍｍの極狭い幅のリング状領域として形成されている。
【０００４】
ＢＣＡには、光ディスク等の種別や識別情報等の光ディスク等を適正に再生するために重要な情報が記録されている。このため、ＢＣＡにおけるデータ記録の密度は、確実な読み取りを可能とするように通常のユーザエリアとは異なる形態で情報が記録されている。
【０００５】
具体的には、ユーザエリアではトラック上のピットに情報が記録されるが、ＢＣＡでは、例えば、ディスクの内周側に形成されているアルミ箔等の反射膜を半径方向に細長く除去したストライプをレーザ等で形成し、ディスクの最内周の円周に沿って配列することによってバーコード状の信号を形成している。
【０００６】
通常、ＢＣＡに記録されるバーコード状のストライプの間隔は、ユーザエリアのピットの間隔に比べると広い。このため、ディスク回転時にＢＣＡから得られる信号（以下、ＢＣＡ信号という）は、ユーザエリアのから得られる信号（以下、ＲＦ信号という）に比べると周波数帯が低い領域の信号となる。
【０００７】
また、ピックアップから出力される信号には、一般にＢＣＡ信号とＲＦ信号が重畳されて出力されることがある。そこで、ＲＦ信号等の影響でＢＣＡ信号が誤検出されることなく正確に再生するためには、ＲＦ信号の再生処理とは異なったＢＣＡ信号用の再生処理を行う必要がある。
【０００８】
例えば、特許文献１には、ＢＣＡ信号を２値化し、その２値化信号のパルス幅を用いてＢＣＡ信号の判定を行うことで、従来多く用いられていたローパスフィルタを不要とする技術が開示されている。
【０００９】
また、特許文献２には、ＲＦ信号が重畳したＢＣＡ信号をピークホールドし、ピークホールドした信号をローパスフィルタを用いて広域成分を除去した後、所定の閾値で２値化することによってＢＣＡ信号を読み取る技術が開示されている。
【特許文献１】特開平１１−３２８８５７号公報
【特許文献２】特開平１０−１９８９６５号公報
【発明の開示】
【発明が解決しようとする課題】
【００１０】
上述したように、ＢＣＡ信号の周波数帯は、ＲＦ信号に比べて低い。このため、ＢＣＡ信号を再生するためには、低い周波数帯を通過させるローパスフィルタが必要となる。
【００１１】
他方、ＲＦ信号は、ＢＣＡ信号よりも高い周波数帯の信号であるため、ローパスフィルタは不要である。
【００１２】
このため、従来はＢＣＡ信号を再生する再生系統と、ＲＦ信号を再生する再生系統との２つの系列を並列に設ける形態が多く用いられており、ハードウェア規模が大きくなり、小型軽量化や低コスト化の制約となっている。
【００１３】
本発明は、上記事情に鑑みてなされたもので、ＢＣＡ信号とＲＦ信号とを、ハードウェア規模を低減しても再生することができる情報再生装置および情報再生方法を提供することを目的とする。
【課題を解決するための手段】
【００１４】
本発明に係る情報再生装置は、上記課題を解決するため、請求項１に記載したように、第１の領域に記録されたＢＣＡ情報と、前記第１の領域より外周側に位置する第２の領域に記録されたＲＦ情報とを有する情報記憶媒体を再生可能な情報再生装置において、前記情報記憶媒体の前記第１及び第２の領域にレーザ光を照射して、その反射光を検出する光ピックアップと、この光ピックアップによって検出された前記反射光に基づいてＲＦ信号とＢＣＡ信号とを再生する再生系統部と、前記ＲＦ信号を再生するときには、前記光ピックアップのフォーカス位置を前記光ディスクの信号層に合わせるようにフォーカス制御を行い、前記ＢＣＡ信号を再生するときには、前記光ピックアップのフォーカス位置を前記信号層からずらしてデフォーカスさせるデフォーカス制御を行うことで前記ＢＣＡ信号の高域成分を等価的に抑圧するフォーカス制御部と、を備えたことを特徴とする。
【００１５】
また、本発明に係る情報再生方法は、上記課題を解決するため、請求項８に記載したように、第１の領域に記録されたＢＣＡ情報と、前記第１の領域より外周側に位置する第２の領域に記録されたＲＦ情報とを有する情報記憶媒体を再生可能な情報再生方法において、前記情報記憶媒体の前記第１及び第２の領域にレーザ光を照射して、その反射光を光ピックアップで検出するステップと、この光ピックアップによって検出された前記反射光に基づいてＲＦ信号とＢＣＡ信号とを再生するする再生ステップと、前記ＲＦ信号を再生するときには、前記光ピックアップのフォーカス位置を前記光ディスクの信号層に合わせるようにフォーカス制御を行い、前記ＢＣＡ信号を再生するときには、前記光ピックアップのフォーカス位置を前記信号層からずらしてデフォーカスさせるデフォーカス制御を行うことで前記ＢＣＡ信号の高域成分を等価的に抑圧するフォーカス制御ステップと、を備えたことを特徴とする。
【発明の効果】
【００１６】
本発明に係る情報再生装置、および情報再生方法によれば、ＢＣＡ信号とＲＦ信号とを、ハードウェア規模を低減しても再生することができる。
【発明を実施するための最良の形態】
【００１７】
本発明に係る情報再生装置、および情報再生方法の実施形態について、添付図面を参照して説明する。
【００１８】
（１）構成
図１は、本発明の一実施形態である情報再生装置１のシステム構成例を示す図である。
【００１９】
情報再生装置１は、光ディスク１００の上に記録された情報を読み取る光ピックアップ２、光ディスク１００を回転駆動するスピンドルモータ３、光ピックアップ２から出力されるＢＣＡ信号とＲＦ信号とを再生処理しデジタル信号に変換する再生系統部４、デジタル化されたＢＣＡ信号とＲＦ信号（各々ＢＣＡデータ、ＲＦデータと呼ぶ）とを切換える切換スイッチ５、ＲＦデータをデコードするＲＦデコーダ６、ＢＣＡデータをデコードするＢＣＡデコーダ７を備えて構成される。
【００２０】
さらに、情報再生装置１は、ＲＦ信号とＢＣＡ信号との再生を切換えるＲＦ／ＢＣＡ選択信号に基づいて制御信号を生成するＲＦ／ＢＣＡ選択回路１０、光ピックアップ２から出力されるサーボエラー信号とＲＦ／ＢＣＡ選択回路１０から出力される制御信号に基づいて光ピックアップ２のフォーカス制御を行うフォーカス制御部８、およびスピンドルモータの回転駆動制御を行う回転制御部９を備える。
【００２１】
さらに、情報再生装置１は、ＢＣＡ信号のシンボルエラー率を測定するエラー測定部１１を備えた構成としてもよい。
【００２２】
光ディスク１００は、例えば、従来型のＤＶＤ（digital  versatile  disk）や次世代型のＨＤ  ＤＶＤ等であり、映像音声データや各種情報処理データが記録されるユーザエリアと、ディスクの種別や識別情報が記録されるバーストカッティング領域（ＢＣＡ：Burst  Cutting  Area）とを少なくとも備えて構成されるものである。
【００２３】
ユーザエリアではトラック上にピットが形成されており、このピットによってデータを記録している。これに対して、ＢＣＡでは、例えば、ディスクの内周側に形成されているアルミ箔等の反射膜を半径方向に細長く除去したストライプをレーザ等で形成し、ディスクの最内周の円周に沿って配列することによってバーコード状の信号を形成している。
【００２４】
通常、ＢＣＡに記録されるバーコード状のストライプの間隔は、ユーザエリアのピットの間隔に比べると広い。このため、ディスク回転時にＢＣＡから得られる信号（以下、ＢＣＡ信号という）は、ユーザエリアのから得られる信号（以下、ＲＦ信号という）に比べると周波数帯が低い領域の信号となる。
【００２５】
光ピックアップ２は、光ディスク１００上に記録された情報を読み取るもので、レーザ光等を光ディスク１００の信号層（記録面）に照射し、その反射光の強度の変化から記録された情報を読み取る。光ピックアップ２から出力される信号は、一般にＲＦ信号と呼ばれるが、ここでは、光ピックアップ２がユーザエリアに位置しているときに得られる信号をＲＦ信号といい、光ピックアップ２がＢＣＡに位置しているときに得られる信号をＢＣＡ信号と言うものとする。
【００２６】
光ピックアップ２は、光ディスク１００の径方向に所定の駆動機構（図示せず）で移動される他、レーザ光のフォーカス位置を光ディスク１００の信号層に一致させるために光ディスク１００の厚み方向にも移動可能に構成されている。厚み方向の位置制御をフォーカス制御という。
【００２７】
光ピックアップ２は、ＲＦ信号やＢＣＡ信号の他、レーザ光のスポットとトラック位置との誤差であるトラックエラー信号やフォーカス位置の誤差であるフォーカスエラー信号を出力する。これらのエラー信号を用いてサーボ制御を行っているため、サーボエラー信号と呼んでいる。
【００２８】
光ピックアップ２のフォーカス位置は、フォーカス制御部８からの制御信号に基づいて制御される。フォーカス制御部８は、フォーカスサーボ制御回路８１、フォーカス制御回路８２、およびフォーカス駆動回路８３を備えている。
【００２９】
ユーザエリアからＲＦ信号を読み出す場合には、光ピックアップ２から出力されるフォーカスエラー信号によってフォーカスサーボ制御回路８１でサーボ制御され、その出力がフォーカス制御回路８２、およびフォーカス駆動回路８３を介して光ピックアップ２内部の駆動機構に印加される。このサーボループによってフォーカス位置が光ディスク１００の信号層に常に位置するように制御される。
【００３０】
他方、ＢＣＡからＢＣＡ信号を読み出す場合には、後述するように、フォーカス位置と信号層の位置とをずらして（デフォーカスして）読み出す形態としている。
【００３１】
スピンドルモータ３の回転制御は、回転制御部９からの制御信号に基づいて行われる。回転制御部９は、回転サーボ制御回路９１、スピンドル制御回路９２、およびスピンドル駆動回路９３を備えている。光ピックアップ２から得られるサーボエラー信号に基づいて、所定の回転速度となるように回転サーボ制御回路９１でサーボ制御し、スピンドル制御回路９２、およびスピンドル駆動回路９３を介してスピンドルモータ３の回転を制御している。
【００３２】
光ピックアップ２から出力されるＲＦ信号およびＢＣＡ信号は、再生系統部４に入力される。再生系統部４は、プリアンプ４１、プリ等価器４２、およびＡＤＣ４３を備えている。
【００３３】
プリアンプ４１では、光ピックアップ２から出力されるＲＦ信号およびＢＣＡ信号に対して所定のゲイン調整を行っている。
【００３４】
プリ等価器４２では、ＲＦ信号およびＢＣＡ信号の波形等価処理を行っている。ＲＦ信号とＢＣＡ信号とでは周波数帯が異なるため当然波形も異なったものとなる。このため、ＲＦ／ＢＣＡ選択回路１０からの制御信号に基づいて、それぞれの信号波形に整合した波形等価処理を行っている。
【００３５】
ＡＤＣ４３でアナログ信号からデジタル信号に変換されたＲＦデータおよびＢＣＡデータは、切換スイッチ５を介してＲＦデコーダ６およびＢＣＡデコーダ７に入力される。
【００３６】
切換スイッチ５は、ＲＦ／ＢＣＡ選択回路１０からの制御信号に基づいて切換えられており、ユーザエリアのＲＦ信号を再生しているときにはＲＦデコーダ６側のパスへ、またＢＣＡのＢＣＡ信号を再生しているときにはＢＣＡデコーダ７側のパスへ選択的に切換えられる。
【００３７】
ＲＦデータおよびＢＣＡデータは、適宜の誤り訂正符号等で符号化されているため、これらをＲＦデコーダ６およびＢＣＡデコーダ７で復号化した後、再生データとして利用する。
【００３８】
図６は、本実施形態に係る情報再生装置１と従来の情報再生装置２００とを比較するために、従来の情報再生装置２００のシステム構成を比較例として示したものである。
【００３９】
従来の情報再生装置２００では、光ピックアップ２から出力されるＲＦ信号およびＢＣＡ信号は、プリアンプ１０１を通過した後、切換スイッチ１０５によって２系統に分割され、それぞれ異なった再生系統で処理される形態となっている。
【００４０】
ＢＣＡ信号を再生する系統には、ＢＣＡ用プリ等価器１０６とＡＤＣ１０８との間にローパスフィルタ１０７を設けた系統となっている。ＢＣＡ信号はＲＦ信号に比べると低い周波数帯の信号である。ローパスフィルタ１０７によって、ＲＦ信号の混入や高い周波数成分を持つ不要なノイズを除去することが可能となる。
【００４１】
他方、ＲＦ信号はそれ自体が高い周波数帯の信号であるため、高域成分を通過させる必要があるため、ローパスフィルタの無い系統となっている。
【００４２】
図１に示した本実施形態に係るシステム構成と従来の形態との第１の相違点は、本実施形態ではローパスフィルタを用いない形態としている点である。第２の相違点は、プリ等価器４２の波形等価処理を外部からの制御信号で切換えることで、共通化している点である。この結果、従来２系統あった再生系統を一本化し、単一の再生系統部４によってＲＦ信号とＢＣＡ信号とを処理することが可能となり、ハードウェア規模の縮小を実現することができる。
【００４３】
（２）動作
上記のように構成された情報再生装置１の動作について、特にＢＣＡ信号の再生動作について、より詳細に説明する。
【００４４】
図２は、情報再生装置１における再生動作の流れの一例を示すフローチャートである。まず、ステップＳＴ１で、ＲＦ信号とＢＣＡ信号とのどちらの信号を再生するかが指定される。
【００４５】
ＲＦ信号を再生する場合には（ステップＳＴ２の「ＲＦ」側）、プリ等価器４２をＲＦ信号の波形に適合した波形等価処理を行うように回路定数等を設定する（ステップＳＴ７）。さらに、切換スイッチ５をＲＦデコーダ６側に設定する（ステップＳＴ８）。これらの設定は、ＲＦ／ＢＣＡ選択回路１０からの制御信号に基づいて行われる。
【００４６】
設定完了後は、光ピックアップ２によって光ディスク１００の信号を読み取り（ステップＳＴ９）、読み取ったＲＦ信号に対して、ゲイン調整、波形等価、ＡＤ変換を行った後、ＲＦデコーダ６でデコードし再生出力信号を得る（ステップＳＴ１０）。
【００４７】
ＢＣＡ信号を再生する場合には、光ピックアップ２のフォーカス位置を光ディスク１００の厚み方向の奥側にずらすことによってデフォーカスする（ステップＳＴ３）。
【００４８】
図３は、デフォーカスの動作を模式的に説明する図である。図３（ａ）は、従来から通常行われているフォーカス状態を示した図である。光ピックアップ２から出力されるレーザ光は適宜の光学系によってビームが絞り込まれてフォーカスを形成する。通常のフォーカス位置は、光ディスク１００の信号層の位置と合致するようにフォーカス制御される。
【００４９】
図３（ｂ）は、本実施形態におけるＢＣＡ信号再生時のデフォーカス状態を示す図である。ＢＣＡ信号再生時には、ＲＦ／ＢＣＡ選択回路１０からフォーカス制御部８に対してデフォーカス制御を行うための制御信号が入力される。フォーカス制御部８では、この制御信号に基づいて、図３（ｂ）に示したようにフォーカス位置を信号層からずらしてデフォーカスする。この結果、収差が生じてＭＴＦ（Modulation  Transfer  Function）が低下して空間周波数が低くなり、結果的に高域成分を除去することができる。即ち、信号層に照射されるビームスポットの面積をピンポイントの状態（フォーカス状態）から所定の照射面積に広げた状態（デフォーカス状態）とすることで、信号層の信号に照射面積に相当する窓関数を適用したこととなり、等価的なローパスフィルタを形成することになる。
【００５０】
なお、フォーカス位置を変更可能に構成することで、信号層における照射面積を変更することができる。この結果、等価的なローパスフィルタのカットオフ周波数を変更することが可能となる。
【００５１】
ローパスフィルタを等価的に形成するという目的では、フォーカス位置は信号層の奥側であってもよいし、手前側であってもよい。しかしながら、ディスク表面上の傷やごみの影響を少なくするためには、ディスク表面でのビームスポット面積が大きい方が効果的である。この点で、フォーカス位置は、信号層の奥側にずらしてデフォーカスする形態が好ましい。
【００５２】
図４は、デフォーカスによる効果（ローパスフィルタ効果）を模式的に示した図である。図４（ａ）は、通常のフォーカス時に得られる波形を示しており、スパイク状のノイズp1、p2、p3が閾値を越えており、これらのノイズによって誤った信号が読み取られることになる。スパイク状のノイズは、例えば、ＢＣＡのストライプをレーザによって形成する際の反射膜の残りや剥がれ等からの反射波によって生じるものである。
【００５３】
これに対して、デフォーカス制御を行った場合には、ローパスフィルタ効果が得られるため、スパイク上のノイズ波形は鈍り、ピーク値は低減される。この結果、ノイズが閾値を越えることが無く、ノイズによる誤作動は排除される。
【００５４】
このように、本実施形態に係る情報再生装置１では、光ピックアップ２のデフォーカス制御によってローパスフィルタと等価な効果を得ることが可能であり、従来必要であったハードウェアとしてのローパスフィルタを不要化することができる。
【００５５】
この他、ＢＣＡ信号再生時には、スピンドルモータ３の回転数をＲＦ信号再生時よりも高く設定する処理（図２のステップＳＴ４）を設ける形態としてもよい。プリアンプ４１、或いはプリ等価器４２には、ＲＦ信号は通過させるが、それよりもさらに高域の成分はカットするフィルタ（図示せず）が設けられている。スピンドルモータ３の回転数を上げることにより、信号自体の周波数帯を上昇させ、この高域カット用のフィルタ形状を変化させることなく相対的に高域のノイズを除去することが可能となる。
【００５６】
図２のステップＳＴ５では、プリ等価器４２をＢＣＡ信号に適合した波形等価処理を行っている。さらにステップＳＴ６では、切換スイッチ５をＢＣＡデコーダ７側に設定する。
【００５７】
この状態で、光ピックアップ２からＢＣＡ信号が入力されると、ＲＦ信号と同一の再生系統部４を通過してＢＣＡデータがデコードされて出力される。
【００５８】
図７は、従来の情報再生装置２００のシステム構成に対応する処理の流れを示すフローチャートである。プリアンプ１０１でゲイン調整行う処理（ステップＳＴ１０２）までは共通のフローとなるが、それ以降は、ＲＦ信号を処理するフローと、ＢＣＡ信号を処理するフローは分かれる。ＲＦ信号を処理するフローでは、ＲＦ用波形等価処理（ステップＳＴ１０８）、ＡＤ変換処理（ステップＳＴ１０９）、ＲＦ信号のデコード処理（ステップＳＴ１１０）が順次行われる。
【００５９】
他方、ＢＣＡ信号を処理するフローでは、ＢＣＡ用波形等価処理（ステップＳＴ１０４）、ＬＰＦ処理（ステップＳＴ１０５）、ＡＤ変換処理（ステップＳＴ１０６）、ＢＣＡ信号のデコード処理（ステップＳＴ１０７）が順次行われる。
【００６０】
本実施形態に係る情報再生装置１によれば、デフォーカス処理によって等価的にローパスフィルタ効果を得ることができ、従来必要であったハードウェアとしてのローパスフィルタが不要となる。また、プリ等価器４２の波形等価特性をＲＦ信号の再生時とＢＣＡ信号の再生時とで切換えることによって、従来必要であった２つのプリ等価器の共用化を実現している。
【００６１】
この結果、光ピックアップ２からＡＤＣ４３までの再生系統を一系統に統一することが可能となり、ハードウェア規模を削減することができる。
【００６２】
さらに、ＢＣＡ信号の再生時には、スピンドルモータ３の回転数を通常より高く設定することにより、高域のノイズ成分をさらに低減することが可能となる。
【００６３】
（３）その他の実施形態
図５は、他の実施形態に係る処理の流れを示すフローチャートである。
【００６４】
この実施形態は、ＢＣＡ信号再生時にはデフォーカス制御は常に実施するものの、スピンドルモータの回転制御については、シンボルエラー率を測定し、測定したシンボルエラー率が所定の閾値を超えた場合にのみ回転制御を実施する形態としている。
【００６５】
ＢＣＡ信号を再生する場合には、まず、光ピックアップ２を光ディスク１００の奥側にずらしてデフォーカスする（ステップＳＴ３）。また、プリ等価器４２をＢＣＡ信号用に設定し（ステップＳＴ５）、切換スイッチ５をＢＣＡデコーダ７側に設定する。
【００６６】
この状態でＢＣＡ信号を再生する。このとき、エラー測定部１１（図１参照）でシンボルエラー率の測定を行い（ステップＳＴ１３）、シンボルエラー率が所定の閾値を超えた場合にはスピンドルモータ３の回転速度を標準速度よりも上げる処理（ステップＳＴ４）を行っている。
【００６７】
このように、本実施形態では、最初はデフォーカスのみでＢＣＡ信号の高域成分を除去し、それでもノイズ等でＢＣＡ信号が読み取れない場合はディスクの回転数を上げることによってさらに高域成分を除去している。
【００６８】
上記とは逆に、先にディスクの回転数を上げてＢＣＡ信号を再生し、シンボルエラー率が所定値以上の場合にはさらに光ピックアップ２をデフォーカスすることで高域成分を除去する形態としてもよい。
【００６９】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７０】
【図１】本発明に係る情報再生装置の一実施形態のシステム構成例を示す図。
【図２】本発明に係る情報再生装置の一実施形態の動作例を示すフローチャート。
【図３】本発明に係る情報再生装置のデフォーカス制御の概念を示す第１の説明図。
【図４】本発明に係る情報再生装置のデフォーカス制御の概念を示す第２の説明図。
【図５】本発明に係る情報再生装置の他の実施形態の動作例を示すフローチャート。
【図６】従来の情報再生装置のシステム構成例を示す図。
【図７】従来の情報再生装置の動作例を示すフローチャート。
【符号の説明】
【００７１】
１  情報再生装置
２  光ピックアップ
３  スピンドルモータ
４  再生系統部
５  切換スイッチ
６  ＲＦデコーダ
７  ＢＣＡデコーダ
８  フォーカス制御部
９  回転制御部
１０  ＲＦ／ＢＣＡ選択回路
１１  エラー測定部
１００  光ディスク
【図１】
2007035199.tif 000003
【図２】
2007035199.tif 000004
【図３】
2007035199.tif 000005
【図４】
2007035199.tif 000006
【図５】
2007035199.tif 000007
【図６】
2007035199.tif 000008
【図７】
2007035199.tif 000009